(57)【要約】【課題】スピーカーを内蔵したリモコン装置において、スピーカーの着脱を容易にする。【解決手段】リモコンケース４は前ケース２と後ケース３で形成し、前ケースの前面に開口部１０を有し、開口部の後部に円筒状のスピーカー取付壁１１を立設し、スピーカー取付壁の周囲で、該スピーカー取付壁の略垂直方向に金具係止部１２を形成し、スピーカー取付壁内に円盤状のスピーカー８を備え、スピーカー取付壁と金具係止部の間に挿入口１６を形成し、板状の取付金具１５を挿入口へスライドして挿入することで、スピーカー８を簡単に着脱することができる。【選択図】図５
2019110504.tif 000002
【特許請求の範囲】
【請求項１】
スピーカーをリモコンケースに内蔵したリモコン装置において、
前記リモコンケースは前ケースと後ケースで形成し、
前記前ケースの前面に開口部を有し、
前記開口部の後部に円筒状のスピーカー取付壁を立設し、
前記スピーカー取付壁の周囲で、該スピーカー取付壁の略垂直方向に金具係止部を形成し、
前記スピーカー取付壁内に円盤状のスピーカーを備え、
前記スピーカー取付壁と前記金具係止部の間に挿入口を形成し、板状の取付金具を前記挿入口へスライドして挿入することで、前記スピーカーを固定することを特徴とするリモコン装置。
【請求項２】
前記金具係止部は一対で構成し、該金具係止部の一部に前記取付金具の誤装着を防止する突起を形成し、
前記取付金具の略中央に前記スピーカーの背面に当接する凸部と、
前記取付金具は縦長の一端には前記突起に対向する凹部を有し、
前記取付金具の他端は前記凸部を中心とする点対称の形状に形成したことを特徴とする請求項１に記載のリモコン装置。
【請求項３】
前記金具係止部と対向する前記後ケースの前面側に抜け止め片を立設し、
前記リモコンケース組み立て時には、前記抜け止め片にて前記取付金具の側端部を当接して取付金具の外れを防止することを特徴とする請求項１または２に記載のリモコン装置。
【発明の詳細な説明】
【技術分野】
【０００１】
本発明は、スピーカーを内蔵したリモコン装置に関するものである。
【背景技術】
【０００２】
従来より、この種のリモコン装置においては、特許文献１のように、スピーカーの前面に位置するリモコンケースに透音用の複数のスリット状の開口部を有し、この開口部の背面側にスピーカー取付部を形成し、このスピーカー取付部に背面側からスピーカーをセットした後、リモコンケースに形成した溝と爪部の間に、スピーカー取付金具をくの字型に嵌め込んで、スピーカーの背面をスピーカー取付金具で押圧することで、簡単にスピーカーを固定するものが知られていた。
【先行技術文献】
【特許文献】
【０００３】
【特許文献１】特開２０００−２９９８９６号公報
【発明の概要】
【発明が解決しようとする課題】
【０００４】
ところが、この従来のものでは、スピーカー取付金具のバネ性を強くすると、故障時にスピーカー取付金具の取り外しが難しくなり、スピーカー取付金具のバネ性を弱くすると取り外しは簡単になるが、スピーカーの固定力が低下して、製品輸送時の外れや故障の原因となる問題があった。
【課題を解決するための手段】
【０００５】
本発明は上記課題を解決するため、スピーカーをリモコンケースに内蔵したリモコン装置において、前記リモコンケースは前ケースと後ケースで形成し、前記前ケースの前面に開口部を有し、前記開口部の後部に円筒状のスピーカー取付壁を立設し、前記スピーカー取付壁の周囲で、該スピーカー取付壁の略垂直方向に金具係止部を形成し、前記スピーカー取付壁内に円盤状のスピーカーを備え、前記スピーカー取付壁と前記金具係止部の間に挿入口を形成し、板状の取付金具を前記挿入口へスライドして挿入することで、前記スピーカーを固定するようにした。
【０００６】
また、前記金具係止部は一対で構成し、該金具係止部の一部に前記取付金具の誤装着を防止する突起を形成し、前記取付金具の略中央に前記スピーカーの背面に当接する凸部と、前記取付金具は縦長の一端には前記突起に対向する凹部を有し、前記取付金具の他端は前記凸部を中心とする点対称の形状に形成した。
【０００７】
また、前記金具係止部と対向する前記後ケースの前面側に抜け止め片を立設し、前記リモコンケース組み立て時には、前記抜け止め片にて前記取付金具の側端部を当接して取付金具の外れを防止するようにした。
【発明の効果】
【０００８】
リモコンケースへのスピーカーと取付金具の着脱を極めて簡単にし、かつ、スピーカーの固定を確実に行うことができる。
【図面の簡単な説明】
【０００９】
【図１】本発明の一実施形態のリモコン装置の分解斜視図
【図２】同一前ケースの背面図
【図３】同一取付金具の側面図
【図４】同一要部の分解斜視図
【図５】同一要部の取付け説明図
【図６】同一図６のＡ−Ａ拡大断面図
【発明を実施するための形態】
【００１０】
次に、本発明の一実施形態のインターホン機能付給湯機用リモコン装置を図面に基づいて説明する。
【００１１】
リモコン装置１は、内蔵部品の前面側を覆う樹脂製の前ケース２と、後面側を覆う樹脂製の後ケース３とで構成される薄い箱状のリモコンケース４に、液晶表示部５や複数のスイッチ６、音声スイッチ（図示せず）などの電子部品を備えた電装基板７や、スピーカー８、マイク（図示せず）等を内蔵し、前ケース２の前面側には複数の操作キー９を押圧自在に嵌め込んで取り付けられている。
【００１２】
前ケース２は、前ケース２の一端側裏面に固定されるスピーカー８に対応する位置に、複数の横長のスリット状の開口部１０が開口され、この開口部１０の後部に円筒状のスピーカー取付壁１１を立設している。このスピーカー取付壁１１の周囲にはスピーカー取付壁１１の略垂直方向に金具係止部１２を形成している。
【００１３】
前記金具係止部１２は下係止部１３と上係止部１４の上下一対備え、前記スピーカー取付壁１１から延出して一体に形成する。また、前記係止部１３・１４の前面側には板状の取付金具１５をスライドして係止する係止面１３ａ・１４ａと、前記取付金具１５の右端位置（図６においては左端位置）を固定するストッパ部１３ｂ・１４ｂを有する。
【００１４】
前記スピーカー取付壁１１の高さは前記金具係止部１２の係止面１３ａ・１４ａにスライドしてスムーズに取り付けられるように、左取付壁１１ａが右取付壁１１ｂよりも低く形成され、前記左取付壁１１ａと係止面１３ａ・１４ａとの間に取付金具１５の挿入口１６を形成し、取付金具１５を挿入口１６へスライドして挿入することで、円盤状の前記スピーカー８を固定する。また、前記下係止部１３の前記ストッパ部１３ｂには、前記取付金具１５の誤装着を防止するため金具側に突起１３ｃを形成する。また、前記突起１３ｃの左側（図６においては右側）で取付金具１５の幅を隔てた距離に、前記左取付壁１１ａの一部を前方に凹ませてガイド部１１ｃを形成し、前記突起１３ｃとガイド部１１ｃによって、組み立て時における、前記下係止部１３での取付金具１５の横方向の位置をガイドする。
【００１５】
前記取付金具１５はステンレスのバネ材から成る縦長板状のもので、略中央には前記スピーカー８の背面に当接する凸部１７と、前記突起１３ｃに対向する凹部１８を有している。また、前記凸部１７を中心とする点対称の形状に形成することで、前記凸部１７がスピーカー８側でなく背面側に前後方向を間違って装着されることでスピーカー８と取付金具１５の間に隙間が生じることを防止すると共に、取付金具１５の上下方向を区別する必要が無く組み立て時の作業性が向上する。
【００１６】
１９はゴムパッキンで、前記スピーカー取付壁１１内側の前記開口部１０とスピーカー８周囲の間を密着し、かつ、スピーカー８より音が発生した場合の振動を吸収する。２０は発泡材料から成る遮音材で前記スピーカー８から背面方向への音の漏れを防止する。
【００１７】
２１は前記後ケース３の前面側に立設した抜け止め片で、前記上係止部１４に対向し、前記左取付壁１１ａの左側を覆うように形成している。これによって、前記リモコンケース組み立て後には、前記抜け止め片２１にて前記取付金具１５の側端部を当接して運搬時等の振動で取付金具１５の外れを防止することができる。
【００１８】
組み立て手順について説明すれば、まずスピーカー８の外周に前方からゴムパッキン１９を取り付け、スピーカー取付壁１１の内側に挿入し、取付金具１５の下側の凹部１８が下係止部１３の突起１３ｃに位置させ、図５破線矢印の方向に取付金具１５を回転すれば極めて簡単にスピーカー８を前ケース２に取り付けることができる。次に、後ケース３をネジ（図示せず）で前ケース２に取り付ければ、後ケース３の前面側に立設した抜け止め片２１が取付金具１５の側端部を当接して輸送時等の振動で取付金具１５が外れることを防止することができる。
【００１９】
スピーカー８の故障で取り外す場合には、単に前記の組み立て手順の逆をすることで簡単に取り外すことができる。特に取付金具１５の取り外しは、図５破線矢印の逆方向に取付金具１５を回転するだけなので簡単に取り外すことができる。
【００２０】
このように、本件発明によれば、リモコンケース４へのスピーカー８とスピーカーを取り付ける取付金具１５の着脱を極めて簡単にし、かつ、スピーカー８の固定を確実に行うことができる。また、後ケース３の前面側に立設した抜け止め片２１が取付金具１５の側端部に当接して輸送時等の振動で取付金具１５が外れることを防止することができる。また、スピーカー取付壁１１と遮音材２０とスピーカー取付壁１１を覆う抜け止め片２１の構成によりスピーカー８の音が後方に漏れることを防止するものである。
【００２１】
なお、本発明は上記一実施形態に限定されるものではなく、発明の要旨を変更しない範囲で改変可能なものであり、金具係止部１２や抜け止め片２１を左右方向に設ける構成としてもよい。
【符号の説明】
【００２２】
１  リモコン装置
２  前ケース
３  後ケース
４  リモコンケース
８  スピーカー
１０  開口部
１１  スピーカー取付壁
１２  金具係止部
１３ｃ  突起
１５  取付金具
１６  挿入口
１７  凸部
１８  凹部
２１  抜け止め片
【図１】
2019110504.tif 000003
【図２】
2019110504.tif 000004
【図３】
2019110504.tif 000005
【図４】
2019110504.tif 000006
【図５】
2019110504.tif 000007
【図６】
2019110504.tif 000008